(57)【要約】【課題】本発明は、カメラにおいてメインミラーをミラーボックスに支持するためのミラー支持機構に関し、メインミラーを支持する回転軸の位置調整を行った場合にも回転軸に対する転向軸の相対位置を確実に維持することを目的とする。【解決手段】メインミラーを保持するメインミラー保持枠と、サブミラーを保持するとともにメインミラー保持枠に軸支されるサブミラー保持枠と、メインミラー保持枠およびサブミラー保持枠が収容されるミラーボックスと、ミラーボックスの外側に配置される調整板とを備え、調整板に、ミラーボックスの第１の貫通穴に挿通されるとともに、メインミラー保持枠を回転可能に支持する回転軸と、ミラーボックスの第２の貫通穴に挿通されるとともに、サブミラーの動きを決めるためにサブミラー保持枠に形成されるカム穴に挿入される転向軸とを配置してなることを特徴とする。【選択図】      図１
2004240281.tif 000002
【特許請求の範囲】
【請求項１】
メインミラーを保持するメインミラー保持枠と、
サブミラーを保持するとともに前記メインミラー保持枠に軸支されるサブミラー保持枠と、
前記メインミラー保持枠およびサブミラー保持枠が収容されるミラーボックスと、
前記ミラーボックスの外側に配置される調整板とを備え、
前記調整板に、
前記ミラーボックスの第１の貫通穴に挿通されるとともに、前記メインミラー保持枠を回転可能に支持する回転軸と、
前記ミラーボックスの第２の貫通穴に挿通されるとともに、前記サブミラーの動きを決めるために前記サブミラー保持枠に形成されるカム穴に挿入される転向軸と、
を配置してなることを特徴とするミラー支持機構。
【請求項２】
請求項１記載のミラー支持機構において、
前記調整板に、前記ミラーボックスの第３の貫通穴に挿通されるとともに、前記サブミラー保持枠に形成されるキャッチ溝に係合され、前記サブミラーを所定位置に規制するキャッチ軸を配置してなることを特徴とするミラー支持機構。
【請求項３】
請求項２記載のミラー支持機構において、
前記キャッチ軸は、前記調整板に回転可能に固定され、キャッチ軸の先端には、前記キャッチ溝に係合される係合部が偏心して形成されていることを特徴とするミラー支持機構。
【請求項４】
請求項３記載のミラー支持機構において、
前記キャッチ軸の前記ミラーボックスと前記係合部との間に、前記キャッチ軸を回転する回転工具の係止部が形成されていることを特徴とするミラー支持機構。
【請求項５】
請求項１ないし請求項４のいずれか１項記載のミラー支持機構において、
前記調整板に、前記ミラーボックスへの前記調整板の固定位置を調整する治具の調整軸が挿入される位置調整穴を形成してなることを特徴とするミラー支持機構。
【発明の詳細な説明】
【０００１】
【発明の属する技術分野】
本発明は、カメラにおいてメインミラーをミラーボックスに支持するためのミラー支持機構に関する。
【０００２】
【従来の技術】
従来、クイックリターン方式のミラーを採用するカメラでは、例えば、特開平９−２７４２５０号公報に開示されるように、ミラーダウン時のミラーのバウンド現象を減少させるミラーバウンド防止装置を備えたミラー支持機構が知られている。
【０００３】
しかしながら、このミラー支持機構では、メインミラーをミラーボックスに回転可能に支持する回転軸が、ミラーボックスに固定され、回転軸の位置調整を行うことができないため、メインミラーの水平方向の角度調整を正確に行うことが困難であった。
一方、従来、特開平９−２７４２４９号公報に開示されるように、ミラーボックスに固定される基板に、メインミラーをミラーボックスに回転可能に支持する回転軸を位置調整可能に固定したミラー支持機構が知られている。
【０００４】
【特許文献１】
特開平９−２７４２５０号公報
【特許文献２】
特開平９−２７４２４９号公報
【０００５】
【発明が解決しようとする課題】
しかしながら、上述した特許文献１のミラー支持機構の回転軸を、上述した特許文献２のミラー支持機構の回転軸のように位置調整可能にすると、クイックリターン方式のミラー支持機構では、回転軸の位置調整により、サブミラーの動きを決める転向軸と回転軸との相対位置がずれてしまい、サブミラーの回転動作の精度が低下するという問題があった。
【０００６】
本発明は、かかる従来の問題を解決するためになされたもので、メインミラーを支持する回転軸の位置調整を行った場合にも回転軸に対する転向軸の相対位置を確実に維持することができるミラー支持機構を提供することを目的とする。
【０００７】
【課題を解決するための手段】
請求項１のミラー支持機構は、メインミラーを保持するメインミラー保持枠と、サブミラーを保持するとともに前記メインミラー保持枠に軸支されるサブミラー保持枠と、前記メインミラー保持枠およびサブミラー保持枠が収容されるミラーボックスと、前記ミラーボックスの外側に配置される調整板とを備え、前記調整板に、前記ミラーボックスの第１の貫通穴に挿通されるとともに、前記メインミラー保持枠を回転可能に支持する回転軸と、前記ミラーボックスの第２の貫通穴に挿通されるとともに、前記サブミラーの動きを決めるために前記サブミラー保持枠に形成されるカム穴に挿入される転向軸とを配置してなることを特徴とする。
【０００８】
請求項２のミラー支持機構は、請求項１記載のミラー支持機構において、前記調整板に、前記ミラーボックスの第３の貫通穴に挿通されるとともに、前記サブミラー保持枠に形成されるキャッチ溝に係合され、前記サブミラーを所定位置に規制するキャッチ軸を配置してなることを特徴とする。
請求項３のミラー支持機構は、請求項２記載のミラー支持機構において、前記キャッチ軸は、前記調整板に回転可能に固定され、キャッチ軸の先端には、前記キャッチ溝に係合される係合部が偏心して形成されていることを特徴とする。
【０００９】
請求項４のミラー支持機構は、請求項３記載のミラー支持機構において、前記キャッチ軸の前記ミラーボックスと前記係合部との間に、前記キャッチ軸を回転する回転工具の係止部が形成されていることを特徴とする。
【００１０】
請求項５のミラー支持機構は、請求項１ないし請求項４のいずれか１項記載のミラー支持機構において、前記調整板に、前記ミラーボックスへの前記調整板の固定位置を調整する治具の調整軸が挿入される位置調整穴を形成してなることを特徴とする。
【００１１】
（作用）
請求項１のミラー支持機構では、ミラーボックスの外側に調整板が配置される。
【００１２】
そして、調整板に、メインミラー保持枠を回転可能に支持する回転軸と、サブミラーの動きを決めるためにサブミラー保持枠に形成されるカム穴に挿入される転向軸とが配置される。
従って、調整板を調整して回転軸の位置調整を行った場合にも、回転軸に対する転向軸の相対位置がずれることがなくなる。
【００１３】
請求項２のミラー支持機構では、調整板に、サブミラー保持枠に形成されるキャッチ溝に係合され、サブミラーを所定位置に規制するキャッチ軸が配置される。
従って、調整板を調整して回転軸の位置調整を行った場合にも、回転軸に対する転向軸およびキャッチ軸の相対位置がずれることがなくなる。
請求項３のミラー支持機構では、キャッチ軸が、調整板に回転可能に固定される。
【００１４】
そして、キャッチ軸を回転すると、キャッチ軸の先端に偏心して形成される係合部の軸心位置がずれ、キャッチ溝に対する相対位置が調整される。
請求項４のミラー支持機構では、キャッチ軸のミラーボックスと係合部との間に、キャッチ軸を回転する回転工具の係止部が形成されている。
そして、ミラーボックスの内側からキャッチ軸の係止部に回転工具を係止して、キャッチ軸を回転することによりキャッチ軸の先端の係合部の位置調整が行われる。
【００１５】
請求項５のミラー支持機構では、調整板に、ミラーボックスへの調整板の固定位置を調整する治具の調整軸が挿入される位置調整穴が形成される。
そして、ミラーボックスに調整板を配置した状態で、調整板の位置調整穴に治具の調整軸を挿入し、治具の操作により調整板の回転軸の位置調整が行われ、位置調整後に、調整板がミラーボックスに固定される。
【００１６】
【発明の実施の形態】
以下、本発明の実施形態を図面を用いて詳細に説明する。
図１は、本発明のミラー支持機構の一実施形態を、図２は、図１のミラー支持機構が配置されるカメラを示している。
図２において、カメラボディ１１に装着された図示しない撮影レンズから入った光線は、メインミラー１３によって上方に反射され、ペンタプリズム１５およびレンズ１７を通り接眼レンズ部１９に導かれる。
【００１７】
メインミラー１３は、半透過部を有し、撮影レンズからの光線の一部は、メインミラー１３の半透過部を通り、サブミラー２１によって反射されカメラボディ１１の下部の測距素子２３へと導かれる。
メインミラー１３は、メインミラー保持枠２５に固定されている。
メインミラー保持枠２５は、回転軸用穴２５ａを有しており、後述する回転軸２７により回転可能に軸支されている。
【００１８】
メインミラー保持枠２５には、サブミラー２１を保持するサブミラー保持枠２９が、軸３１により回転可能に軸支されている。
サブミラー保持枠２９には、その先端部にキャッチ軸３１に係合するキャッチ溝２９ａが形成されている。
メインミラー保持枠２５には、ピン部材３３が固定され、サブミラー保持枠２９には、ピン部材３２が固定されている。
【００１９】
そして、ピン部材３２とピン部材３３の間にトグルバネ３５が掛けられている。
このトグルバネ３５は、図２の撮影待機状態では、サブミラー保持枠２９を反時計周りにキャッチ軸３１に付勢している。
また、メインミラー保持枠２５には、ピン部材３７が固定され、カメラボディ側には、ピン部材３９が固定されている。
【００２０】
そして、ピン部材３７とピン部材３９との間にミラー戻しバネ４１が掛けられている。
このミラー戻しバネ４１は、メインミラー保持枠２５を偏心ピン４３に反時計周りに付勢している。
サブミラー保持枠２９のキャッチ溝２９ａと反対側には、サブミラー２１の動きを決めるカム穴２９ｂが形成されている。
【００２１】
このカム穴２９ｂには、転向軸４５が挿入されている。
図３ないし図５は、サブミラー保持枠２９が撮影終了後、撮影待機状態に復帰運動する行程の一部を示したものであり、復帰は図３から図５の順で進み、図５は完全に復帰した状態を示している。
図３ないし図５に示すように、サブミラー保持枠２９のキャッチ溝２９ａは、２つの端部２９ｃ，２９ｄを有する。
【００２２】
端部２９ｄは、復帰途中にキャッチ軸３１に干渉しない形状である。
図３ないし図５で、サブミラー保持枠２９の端部２９ｃは、そのとば口が出口に向けて広がっている。
また、転向軸４５が挿入されるカム穴２９ｂの形状は、トグルバネ３５の付勢力が無くとも、キャッチ軸３１が端部２９ｄに干渉せずに、キャッチ溝２９ａに充分係合可能な形状とされている。
【００２３】
上述したカメラでは、周知の方法により露出が完了すると、メインミラー保持枠２５は、ミラー戻しバネ４１の付勢力により回転軸用穴２５ａの周りに反時計周りに復帰してくる。
そして、サブミラー保持枠２９も、測距素子２３に光線を導く位置に復帰してくる。
【００２４】
その復帰過程で、サブミラー保持枠２９のキャッチ溝２９ａが、キャッチ軸３１に係合し、その後、メインミラー保持枠２５と偏心ピン４３が衝突し、メインミラー１３およびサブミラー２１が正規の撮影待機状態に復帰する。
すなわち、上述したカメラでは、サブミラー保持枠２９が撮影終了後の撮影待機状態に復帰した際に、サブミラー保持枠２９のキャッチ溝２９ａにキャッチ軸３１が係合し、衝突時の衝突により生じるバウンドを抑制することで、オートフォーカスの測距開始を早めることが可能になり、被写体を追尾しながらの連続撮影において単位時間当たりの撮影枚数を多くすることが可能になる。
【００２５】
また、サブミラー保持枠２９に形成されるカム穴２９ｂの形状を、トグルバネ３５の付勢力が無くとも、キャッチ軸３１が端部２９ｄに干渉せずに係合可能な形状にしたので、トグルバネ３５のバネ力の管理が不要となり、コストの低減および動作の安定化を図ることが可能になる。
図１は、上述したメインミラー保持枠２５およびサブミラー保持枠２９を、ミラーボックス４７に支持するミラー支持機構の要部の詳細を示している。
【００２６】
図１において符号４７は、カメラボディ１１側に固定されるミラーボックスを示している。
このミラーボックス４７の内側には、メインミラー１３を保持するメインミラー保持枠２５、および、サブミラー２１を保持するサブミラー保持枠２９が収容されている。
【００２７】
サブミラー保持枠２９は、支持軸３１によりメインミラー保持枠２５に軸支されている。
ミラーボックス４７の外側には、調整板４９が配置されている。
【００２８】
調整板４９の上部には、ミラーボックス４７の第１の貫通穴４７ａに挿通され、メインミラー保持枠２５を回転可能に支持する回転軸２７が配置されている。
また、調整板４９の側方突部には、ミラーボックス４７の第２の貫通穴４７ｂに挿通される転向軸４５が配置されている。
この転向軸４５は、サブミラー２１の動きを決めるためにサブミラー保持枠２９に形成されるカム穴２９ｂに挿入される。
【００２９】
さらに、調整板４９の下部には、ミラーボックス４７の第３の貫通穴４７ｃに挿通されるキャッチ軸３１が配置されている。
このキャッチ軸３１は、サブミラー保持枠２９に形成されるキャッチ溝２９ａに係合され、サブミラー２１を所定位置に規制する。
このキャッチ軸３１は、図６に示すように、調整板４９に回転可能に固定されている。
【００３０】
すなわち、キャッチ軸３１の調整板４９の内側には、環状凸部３１ｈが形成され、調整板４９の外側の板材５０に、キャッチ軸３１の頭部３１ｄがカシメ固定されている。
このカシメ固定は、工具によりキャッチ軸３１が回動可能なように行われている。
【００３１】
そして、キャッチ軸３１の先端には、キャッチ溝２９ａに係合される係合部３１ｂが、キャッチ軸３１の軸心に対して距離Δだけ偏心して形成されている。
また、キャッチ軸３１のミラーボックス４７と係合部３１ｂとの間には、係止部３１ｃが形成されている。
この係止部３１ｃは、例えば、断面六角形状に形成され、キャッチ軸３１を回転する回転工具が係止可能とされている。
【００３２】
また、キャッチ軸３１の頭部３１ｄには、例えば、ドライバーの先端が係止される十字溝３１ｅが形成されている。
調整板４９の側方突部および下部には、ミラーボックス４７に形成される螺子穴４７ｅ，４７ｆに対応する位置に、一対のビス穴４９ｅ，４９ｆが形成されている。
【００３３】
調整板４９の上部および中間部には、一対の位置調整穴４９ｂ，４９ｃが形成されている。
この位置調整穴４９ｂ，４９ｃには、図７に示すように、ミラーボックス４７への調整板４９の固定位置を調整する位置調整治具５１の調整軸５１ａ，５１ｂが挿入される。
【００３４】
位置調整治具５１の側面には、上方の調整軸５１ａおよび下方の調整軸５１ｂを上下に微動するダイヤル５３、左右に微動するダイヤル５５が配置されている。
上述したミラー支持機構では、ミラーボックス４７の内側にメインミラー保持枠２５およびサブミラー保持枠２９が配置され、ミラーボックス４７の外側に調整板４９が配置される。
【００３５】
そして、ミラーボックス４７の側面に調整板４９を押圧することにより、ミラーボックス４７の第１の貫通穴４７ａに調整板４９の回転軸２７が挿通され、回転軸２７の先端がメインミラー保持枠２５の回転軸用穴２５ａに挿入される。
同時に、ミラーボックス４７の第２の貫通穴４７ｂに調整板４９の転向軸４５が挿通され、転向軸４５の先端がサブミラー保持枠２９のカム穴２９ｂに挿入される。
【００３６】
さらに、ミラーボックス４７の第３の貫通穴４７ｃに調整板４９のキャッチ軸３１が挿通され、キャッチ軸３１の先端がサブミラー保持枠２９のキャッチ溝２９ａに挿入される。
そして、この状態で、調整板４９の位置調整穴４９ｂ，４９ｃに、位置調整治具５１の調整軸５１ａ，５１ｂが嵌挿され、位置調整治具５１のダイヤル５３，５５を調整することにより、調整板４９の回転軸２７、転向軸４５およびキャッチ軸３１の位置調整が行われる。
【００３７】
また、キャッチ軸３１の頭部３１ｄの十字溝３１ｅにドライバーの先端を係止してキャッチ軸３１を回転することにより、キャッチ軸３１の係合部３１ｂの微細な位置調整が行われる。
そして、調整板４９の位置調整の終了後に、調整板４９のビス穴４９ｅ，４９ｆにビスを挿入し、ビスをミラーボックス４７の螺子穴４７ｅ，４７ｆに螺合することにより、調整板４９がミラーボックス４７に固定される。
【００３８】
上述したミラー支持機構では、調整板４９に、回転軸２７と転向軸４５とを配置したので、調整板４９を調整して回転軸２７の位置調整を行った場合にも、回転軸２７に対する転向軸４５の相対位置がずれることがなくなり、回転軸２７に対する転向軸４５の相対位置を確実に維持しつつメインミラー１３の角度を適正角度に調整することができる。
【００３９】
また、上述したミラー支持機構では、調整板４９に、サブミラー保持枠２９に形成されるキャッチ溝２９ａに係合され、サブミラー２１を所定位置に規制するキャッチ軸３１を配置したので、調整板４９を調整して回転軸２７の位置調整を行った場合にも、回転軸２７に対する転向軸４５およびキャッチ軸３１の相対位置を確実に維持することができる。
【００４０】
さらに、上述したミラー支持機構では、キャッチ軸３１を回転すると、キャッチ軸３１の先端に偏心して形成される係合部３１ｂの軸心位置がずれるため、キャッチ溝２９ａに対する相対位置およびサブミラー２１の角度を適正角度に容易，確実に調整することができる。
そして、上述したミラー支持機構では、ミラーボックス４７の内側からキャッチ軸３１の係止部３１ｃに回転工具を係止して、キャッチ軸３１を回転することによりキャッチ軸３１の先端の係合部３１ｂの位置調整を行うことが可能になるため、ミラー支持機構をカメラに組み込んだカメラの完成状態においてもキャッチ軸３１の係合部３１ｂの位置調整を容易，確実に行うことができる。
【００４１】
また、上述したミラー支持機構では、調整板４９に、ミラーボックス４７への調整板４９の固定位置を調整する位置調整治具５１の調整軸５１ａ，５１ｂが挿入される位置調整穴４９ｂ，４９ｃを形成したので、調整板４９の位置調整を容易，確実に行うことができる。
【００４２】
【発明の効果】
以上述べたように、請求項１のミラー支持機構では、調整板に、回転軸と転向軸とを配置したので、調整板を調整して回転軸の位置調整を行った場合にも、回転軸に対する転向軸の相対位置がずれることがなくなり、回転軸に対する転向軸の相対位置を確実に維持することができる。
【００４３】
請求項２のミラー支持機構では、調整板に、サブミラー保持枠に形成されるキャッチ溝に係合され、サブミラーを所定位置に規制するキャッチ軸を配置したので、調整板を調整して回転軸の位置調整を行った場合にも、回転軸に対する転向軸およびキャッチ軸の相対位置を確実に維持することができる。
請求項３のミラー支持機構では、キャッチ軸を回転すると、キャッチ軸の先端に偏心して形成される係合部の軸心位置がずれるため、キャッチ溝に対する相対位置を容易，確実に調整することができる。
【００４４】
請求項４のミラー支持機構では、ミラーボックスの内側からキャッチ軸の係止部に回転工具を係止して、キャッチ軸を回転することによりキャッチ軸の先端の係合部の位置調整を行うことが可能になるため、ミラー支持機構をカメラに組み込んだカメラの完成状態においてもキャッチ軸の係合部の位置調整を容易，確実に行うことができる。
請求項５のミラー支持機構では、調整板に、ミラーボックスへの調整板の固定位置を調整する治具の調整軸が挿入される位置調整穴を形成したので、調整板の位置調整を容易，確実に行うことができる。
【図面の簡単な説明】
【図１】本発明のミラー支持機構の一実施形態の要部を示す分解斜視図である。
【図２】図１のミラー支持機構が配置されるカメラを示す説明図である。
【図３】図１のサブミラー保持枠と転向軸およびキャッチ軸との位置関係を示す説明図である。
【図４】図１のサブミラー保持枠と転向軸およびキャッチ軸との位置関係を示す説明図である。
【図５】図１のサブミラー保持枠と転向軸およびキャッチ軸との位置関係を示す説明図である。
【図６】図１のキャッチ軸の詳細を示す説明図である。
【図７】図１の調整板の位置調整に使用される位置調整治具を示す説明図である。
【符号の説明】
１３  メインミラー
２１  サブミラー
２５  メインミラー保持枠
２７  回転軸
２９  サブミラー保持枠
２９ａ  キャッチ溝
２９ｂ  カム穴
３１  キャッチ軸
３１ｂ  係合部
３１ｃ  係止部
４５  転向軸
４７  ミラーボックス
４７ａ  第１の貫通穴
４７ｂ  第２の貫通穴
４７ｃ  第３の貫通穴
４９  調整板
４９ｂ  位置調整穴
４９ｃ  位置調整穴
【図１】
2004240281.tif 000003
【図２】
2004240281.tif 000004
【図３】
2004240281.tif 000005
【図４】
2004240281.tif 000006
【図５】
2004240281.tif 000007
【図６】
2004240281.tif 000008
【図７】
2004240281.tif 000009